【手続補正書】
【提出日】平成24年7月30日(2012.7.30)
【手続補正１】
【補正対象書類名】特許請求の範囲
【補正対象項目名】全文
【補正方法】変更
【補正の内容】
【特許請求の範囲】
【請求項１】
軸と、
前記軸に固定される先端部材と、
前記先端部材の遠位表面を超えて延びるプローブと、
を備えたデバイスであって、
前記プローブは、その全長の大部分において略円柱形状を有しており、前記プローブは、前記デバイスにおける最も遠位にある部材である、
デバイス。
【請求項２】
前記プローブは、約０．００３インチより大きく、約０．０１２インチより小さい距離を、前記先端部材を超えて延伸する、請求項１に記載のデバイス。
【請求項３】
前記プローブは、約０．００４インチより大きく、約０．００８インチより小さい距離を、前記先端部材を超えて延伸する、請求項２に記載のデバイス。
【請求項４】
前記プローブは、約０．００２インチより大きく、約０．００６インチより小さい直径を有する、請求項１に記載のデバイス。
【請求項５】
前記プローブは、約１より大きい直径に対する長さのアスペクト比を有する、請求項１に記載のデバイス。
【請求項６】
前記プローブは、約２より大きい直径に対する長さのアスペクト比を有する、請求項５に記載のデバイス。
【請求項７】
前記プローブは、最大直径ＤＷを有し、
前記先端部材は、最大直径ＤＴを有し、
前記最大直径ＤＴは、前記プローブの前記最大直径ＤＷより大きい、
請求項１に記載のデバイス。
【請求項８】
前記プローブの前記最大直径ＤＷに対する前記先端部材の前記最大直径ＤＴの比は、約３より大きい、請求項７に記載のデバイス。
【請求項９】
前記軸に取り付けられたコイルを更に備え、
前記コイルは、近位脚部と、遠位脚部と、前記近位脚部および遠位脚部の間に配置される屈曲部と、を備える、請求項１に記載のデバイス。
【請求項１０】
前記屈曲部は、約９０度より大きく、約１８０度より小さい角度範囲を通じて延伸する、請求項９に記載のデバイス。
【請求項１１】
前記屈曲部は、約１２０度より大きく、約１５０度より小さい角度範囲を通じて延伸する、請求項１０に記載のデバイス。
【請求項１２】
前記遠位脚部は、約０．０４０インチより大きく、約０．３００インチより小さい長さを有する、請求項９に記載のデバイス。
【請求項１３】
コイルを更に備え、
前記コイルの近位端は前記軸に固定され、前記コイルの遠位端は前記先端部材に固定される、請求項１に記載のデバイス。
【請求項１４】
前記先端部材は、金属を含む、請求項１に記載のデバイス。
【請求項１５】
前記金属は、銀を含む、請求項１４に記載のデバイス。
【請求項１６】
前記遠位プローブおよび前記先端部材は、モノリシック構造である、請求項１に記載のデバイス。
【請求項１７】
前記遠位プローブおよび前記先端部は共に、単一の物質から形成される、請求項１に記載のデバイス。
【請求項１８】
前記遠位プローブおよび前記先端部は共に、単一の物質から物質を除去することによって形成される、請求項１に記載のデバイス。
【請求項１９】
前記遠位プローブは、単一の物質から物質を除去することによって形成される、請求項１に記載のデバイス。
【請求項２０】
前記遠位プローブおよび前記先端部は、単一の物質から一体的に形成される、請求項１に記載のデバイス。
【請求項２１】
軸と、
前記軸の遠位端に接続される先端であって、最大先端直径を持つ略凸状の遠位表面を有する、先端と、
前記先端の前記遠位表面から延伸するプローブであって、前記プローブの長さよりも小さく、前記最大先端直径よりも小さい最大プローブ直径を有する、プローブと、
を備え、
前記プローブは、略円柱形状を有する、医療デバイス。
【請求項２２】
前記プローブは、実質的に平坦な遠位面を含む最も遠位にある表面を有する、請求項２１記載の医療デバイス。
【請求項２３】
前記プローブは、前記軸の縦軸の一部分に実質的に直交する実質的に平坦な遠位面を有する、請求項１に記載の医療デバイス。
【請求項２４】
前記実質的に平坦な遠位面は、前記軸の縦軸に実質的に垂直である、請求項２３に記載の医療デバイス。
【請求項２５】
前記最大先端直径は、約０．００８インチから約０．０３５インチであり、前記最大プローブ直径は、約０．００２０インチから約０．００５５インチである、請求項２１に記載の医療デバイス。
【請求項２６】
前記プローブは、約０．００３インチから約０．０３２インチの間で、前記略凸状の遠位表面から遠位に延伸する、請求項２１に記載の医療デバイス。
【請求項２７】
前記プローブは、組織を穿刺するように構成される、請求項２１に記載の医療デバイス。
【請求項２８】
前記先端および前記プローブは、単一の物質から一体的に形成される、請求項２１に記載の医療デバイス。
【請求項２９】
前記軸は、前記先端を通って延伸し、前記プローブは、前記軸の最遠位部である、請求項２１に記載の医療デバイス。
【請求項３０】
前記軸は、前記先端内で終結する、請求項２１に記載の医療デバイス。
【請求項３１】
前記軸に結合される近位端と、前記先端に結合される遠位端とを有するコイルをさらに備える、請求項２１に記載の医療デバイス。
【請求項３２】
前記軸は、複数の先細セグメントを含む、請求項２１に記載の医療デバイス。
【請求項３３】
前記先端は、略半球形状を有する、請求項２１に記載の医療デバイス。
【請求項３４】
前記軸は、前記軸の前記遠位端に近接する屈曲部を含む、請求項２１に記載の医療デバイス。
【請求項３５】
コアワイヤと、
前記コアワイヤの少なくとも一部を包囲するジャケットであって、最大先端直径を持つ略凸状の遠位表面を有する、ジャケットと、
前記ジャケットの前記遠位表面から延伸するプローブであって、前記プローブの長さより小さく、前記最大先端直径より小さい最大プローブ直径を有する、プローブと、
を備え、
前記プローブは、略円柱形状を有する、医療デバイス。
【請求項３６】
前記プローブは、実質的に平坦な遠位面を含む最も遠位にある表面を有する、請求項３５記載の医療デバイス。
【請求項３７】
前記実質的に平坦な遠位面は、前記コアワイヤの縦軸に実質的に垂直である、請求項３５に記載の医療デバイス。
【請求項３８】
前記プローブは、組織を穿刺するように構成される、請求項３５に記載の医療デバイス。
【請求項３９】
前記プローブおよび前記コアワイヤは、単一の物質から一体的に形成される、請求項３５に記載の医療デバイス。
【請求項４０】
前記コアワイヤは、前記コアワイヤの遠位端に近接する屈曲部を含む、請求項３５に記載の医療デバイス。
【請求項４１】
前記ジャケットは、前記コアワイヤ全体を包囲する、請求項３５に記載の医療デバイス。
【請求項４２】
前記プローブは、前記軸の遠位端を有している、請求項１に記載のデバイス。
【請求項４３】
前記プローブの遠位端は、前記医療デバイスの最も遠位にある表面である、請求項１記載のデバイス。
【請求項４４】
前記プローブの遠位端は、実質的に平坦な面を有している、請求項１記載のデバイス。
【請求項４５】
前記プローブは先が尖っていない、請求項１記載のデバイス。
【請求項４６】
前記先端部材は半球形状である、請求項１に記載のデバイス。
【請求項４７】
前記プローブは、平坦な遠位面を有している、請求項２１記載のデバイス。
【請求項４８】
前記プローブは、平坦な遠位面を有している、請求項３５記載のデバイス。
【請求項４９】
前記プローブは、その全長の大部分において略円柱形状を有しており、前記プローブは、前記デバイスにおける最も遠位にある部材である、請求項２１記載のデバイス。
【請求項５０】
前記プローブは、その全長の大部分において略円柱形状を有しており、前記プローブは、前記デバイスにおける最も遠位にある部材である、請求項３５記載のデバイス。